(57)【要約】      （修正有）【課題】ユーザーが指針の位置を修正する場合の操作性を向上できる電子時計を提供する。【解決手段】電子時計１は、操作手段７０と、指針と、指針を駆動する駆動手段２１０と、駆動手段２１０を第１モードと第２モードとで制御する制御手段４０と、を備え、駆動手段２１０は、第１モードで制御された場合は、指針を第１速度で早送り駆動し、指針を第１速度で早送り駆動している間に操作手段７０で所定の操作が実行されたら、指針を停止させ、第２モードで制御された場合は、指針を第１速度より速い第２速度で早送り駆動し、指針が所定の位置に移動したら、指針を停止させる。【選択図】図２
2019191038.tif 000002
【特許請求の範囲】
【請求項１】
操作手段と、
指針と、
前記指針を駆動する駆動手段と、
前記駆動手段を第１モードと第２モードとで制御する制御手段と、を備え、
前記駆動手段は、
前記第１モードで制御された場合は、前記指針を第１速度で早送り駆動し、前記指針を前記第１速度で早送り駆動している間に前記操作手段で所定の操作が実行されたら、前記指針を停止させ、
前記第２モードで制御された場合は、前記指針を前記第１速度より速い第２速度で早送り駆動し、前記指針が所定の位置に移動したら、前記指針を停止させる
ことを特徴とする電子時計。
【請求項２】
請求項１に記載の電子時計において、
前記制御手段は、前記指針の基準位置を合せる基準位置合わせモードを実行する基準位置設定部を有し、
前記基準位置合わせモードが実行された場合、前記制御手段は、前記駆動手段を前記第１モードで制御する
ことを特徴とする電子時計。
【請求項３】
請求項１または請求項２に記載の電子時計において、
前記制御手段は、前記指針が指示する時刻のタイムゾーンを選択するタイムゾーン選択モードを実行するタイムゾーン選択部を有し、
前記タイムゾーン選択モードが実行された場合、前記制御手段は、前記駆動手段を前記第２モードで制御し、前記選択されたタイムゾーンに基づく時刻を指示する位置で前記指針を停止させる
ことを特徴とする電子時計。
【請求項４】
請求項１または請求項２に記載の電子時計において、
時刻情報を含む信号を受信する受信手段を備え、
前記制御手段は、前記受信手段によって前記信号を受信して前記指針が指示する時刻を修正する受信モードを実行する受信時刻修正部を有し、
前記受信モードが実行された場合、前記制御手段は、前記駆動手段を前記第２モードで制御し、受信した前記時刻情報に基づく時刻を指示する位置で前記指針を停止させる
ことを特徴とする電子時計。
【請求項５】
請求項１または請求項２に記載の電子時計において、
第１指針を備える第１時刻表示部および第２指針を備える第２時刻表示部を有する時刻表示手段と、
前記第１指針を駆動する第１駆動手段および前記第２指針を駆動する第２駆動手段を有する前記駆動手段と、を備え、
前記制御手段は、前記第１時刻表示部および前記第２時刻表示部で表示する時刻を、互いに入れ替える表示入替モードを実行する表示制御部を有し、
前記表示入替モードが実行された場合、前記制御手段は、前記第１駆動手段および前記第２駆動手段を前記第２モードで制御する
ことを特徴とする電子時計。
【発明の詳細な説明】
【技術分野】
【０００１】
本発明は電子時計に関する。
【背景技術】
【０００２】
従来、指針を早送り駆動させて、指針の位置を修正できる電子時計が知られている（例えば、特許文献１参照）。
【０００３】
特許文献１の電子時計は、指針を早送り駆動させている最中に、ユーザーがりゅうずを操作することで、指針が駆動する速度を高速と低速とに切り替えることができる。これにより、指針の移動量が多い場合は、指針を高速で駆動させることで、目的の時刻位置まで指針を駆動させる時間を短縮できる。また、指針が目的の時刻位置に近づいたら、指針の駆動速度を低速に切り替えることで、ユーザーは目的の時刻位置に指針を容易に合わせることができる。
【先行技術文献】
【特許文献】
【０００４】
【特許文献１】特開２０１２−２０２９０１号公報
【発明の概要】
【発明が解決しようとする課題】
【０００５】
電子時計では、例えば、ユーザーがタイムゾーンを選択し、選択されたタイムゾーンに合わせて指針の位置を修正する場合がある。この場合、電子時計の制御手段等が、ユーザーから選択されたタイムゾーンに応じて、指針を駆動させる量を演算して、指針を目的の時刻位置まで早送り駆動させることがある。そのため、ユーザーはりゅうずを操作する等して目的の時刻位置に指針を停止させる必要がない。
このような場合、指針をできるだけ高速で駆動させて、指針の位置を修正する時間を短縮することが望ましいが、特許文献１の電子時計では、指針が駆動する速度を高速に切り替える場合、ユーザーがりゅうずを操作する必要があるので、ユーザーの操作が煩雑になるといった問題がある。
【０００６】
本発明の目的は、ユーザーが指針の位置を修正する場合の操作性を向上できる電子時計を提供することにある。
【課題を解決するための手段】
【０００７】
本発明の電子時計は、操作手段と、指針と、前記指針を駆動する駆動手段と、前記駆動手段を第１モードと第２モードとで制御する制御手段と、を備え、前記駆動手段は、前記第１モードで制御された場合は、前記指針を第１速度で早送り駆動し、前記指針を前記第１速度で早送り駆動している間に前記操作手段で所定の操作が実行されたら、前記指針を停止させ、前記第２モードで制御された場合は、前記指針を前記第１速度より速い第２速度で早送り駆動し、前記指針が所定の位置に移動したら、前記指針を停止させることを特徴とする。
【０００８】
本発明では、駆動手段は、第１モードで制御された場合、指針を第１速度で早送り駆動し、その最中に操作手段で所定の操作が実行されたら指針を停止する。つまり、第１モードでは、ユーザーが操作手段に対して所定の操作を実行することで指針が停止する。このような第１モードでは、駆動手段は第２速度よりも低速な第１速度で指針を早送り駆動するので、指針の駆動速度を低速に切り替えなくても、目的の時刻位置に指針を容易に停止させることができる。
また、駆動手段は、第２モードで制御された場合、指針を第１速度よりも速い第２速度で早送り駆動し、指針が所定の位置に移動したら、指針を停止させる。そのため、第２モードでは、ユーザーが操作手段を操作して指針を停止させる必要がない。このような第２モードでは、駆動手段は、指針を第１速度より高速な第２速度で指針を早送り駆動するので、指針の駆動を高速に切り替えなくても、短時間で指針を目的の位置に修正することができる。
このように、本発明では、指針の早送り駆動として、ユーザーが停止操作を行う場合は、目的の位置で停止させることが容易な第１速度で指針を移動させ、停止位置が決まっている場合は、短時間で指針を移動できるように第１速度よりも高速な第２速度で指針を移動させる。このため、ユーザーが指針の駆動速度を切り替える必要がないので、ユーザーの操作性を向上でき、運針動作も効率化できる。
【０００９】
本発明の電子時計において、前記制御手段は、前記指針の基準位置を合せる基準位置合わせモードを実行する基準位置設定部を有し、前記基準位置合わせモードが実行された場合、前記制御手段は、前記駆動手段を前記第１モードで制御することが好ましい。
ここで、特に、外部から時刻情報を取得し、取得した時刻情報で指針が表示する時刻を自動的に修正する電子時計では、指針の位置と、その指針の位置に対応する針位置カウンターとを同期させる必要があることが多い。この場合、ユーザーは指針の位置を基準位置に移動させ、その後、基準位置合わせ操作を行うことで、基準位置設定部が針位置カウンターを基準位置に応じた値に初期化することがある。
本発明では、このように基準位置合わせモードが実行された場合、制御手段は駆動手段を第１モードで制御するので、指針は第１速度で早送り駆動される。そのため、ユーザーは、指針が駆動する速度を低速に切り替えなくても、指針の位置を基準位置に容易に合わせることができる。
【００１０】
本発明の電子時計において、前記制御手段は、前記指針が指示する時刻のタイムゾーンを選択するタイムゾーン選択モードを実行するタイムゾーン選択部を有し、前記タイムゾーン選択モードが実行された場合、前記制御手段は、前記駆動手段を前記第２モードで制御し、前記選択されたタイムゾーンに基づく時刻を指示する位置で前記指針を停止させることが好ましい。
本発明では、指針が指示する時刻のタイムゾーンを選択するタイムゾーン選択モードが実行された場合、制御手段は、駆動手段を第２モードで制御し、選択されたタイムゾーンに基づく時刻を指示する位置で指針を停止させる。そのため、タイムゾーン選択モードが実行された場合、ユーザーは指針を停止させる必要がない。そして、このようなタイムゾーン選択モードが実行された場合、指針は最初から高速の第２速度で駆動されるので、ユーザーは、指針が駆動する速度を高速に切り替えなくても、指針を選択されたタイムゾーンに基づく時刻を指示する位置に短時間で移動させることができる。
【００１１】
本発明の電子時計において、時刻情報を含む信号を受信する受信手段を備え、前記制御手段は、前記受信手段によって前記信号を受信して前記指針が指示する時刻を修正する受信モードを実行する受信時刻修正部を有し、前記受信モードが実行された場合、前記制御手段は、前記駆動手段を前記第２モードで制御し、受信した前記時刻情報に基づく時刻を指示する位置で前記指針を停止させることが好ましい。
本発明では、受信モードが実行された場合、制御手段は、駆動手段を第２モードで制御し、受信した時刻情報に基づく時刻を指示する位置で指針を停止させる。そのため、上記したタイムゾーン選択モードと同様に、受信モードが実行された場合も、ユーザーは、指針が駆動する速度を高速に切り替えなくても、指針を受信した時刻情報に基づく時刻を指示する位置に短時間で移動させることができる。
【００１２】
本発明の電子時計において、第１指針を備える第１時刻表示部および第２指針を備える第２時刻表示部を有する時刻表示手段と、前記第１指針を駆動する第１駆動手段および前記第２指針を駆動する第２駆動手段を有する前記駆動手段と、を備え、前記制御手段は、前記第１時刻表示部および前記第２時刻表示部で表示する時刻を、互いに入れ替える表示入替モードを実行する表示制御部を有し、前記表示入替モードが実行された場合、前記制御手段は、前記第１駆動手段および前記第２駆動手段を前記第２モードで制御することが好ましい。
本発明では、表示制御部が第１時刻表示部および第２時刻表示部で表示する時刻を互いに入れ替える表示入替モードが実行された場合、制御手段は、第１駆動手段および第２駆動手段を第２モードで制御する。そのため、上記したタイムゾーン選択モードおよび受信モードと同様に、ユーザーは、指針が駆動する速度を高速に切り替えなくても、第１時刻表示部の第１指針が指示する時刻と前記第２時刻表示部の第２指針が指示する時刻とを短時間で入れ替えることができる。
【図面の簡単な説明】
【００１３】
【図１】本実施形態の電子時計を示す正面図。
【図２】本実施形態の電子時計の概略構成を示すブロック図。
【図３】本実施形態の記憶装置の構成を示すブロック図。
【図４】制御装置が駆動機構を制御して指針を駆動させる処理を示すフローチャート。
【図５】制御装置が駆動機構を制御する操作モードを示す図。
【図６】基準位置合わせ処理を示すフローチャート。
【図７】基準位置合わせモードで指針を早送り駆動させる様子を示す模式図。
【図８】タイムゾーン選択処理を示すフローチャート。
【図９】タイムゾーン選択モードで指針を早送り駆動させる様子を示す模式図。
【図１０】受信処理を示すフローチャート。
【図１１】受信モードで指針を早送り駆動させる様子を示す模式図。
【図１２】タイムゾーン入替処理を示すフローチャート。
【図１３】タイムゾーン入替モードで指針を早送り駆動させる様子を示す模式図。
【発明を実施するための形態】
【００１４】
以下、本発明の具体的な実施形態を図面に基づいて説明する。
図１は、本発明の一実施形態に係る電子時計１の正面図であり、図２は、電子時計１の概略構成を示すブロック図である。
本実施形態の電子時計１は、地球の上空を所定の軌道で周回している複数のＧＰＳ衛星や準天頂衛星などの位置情報衛星から送信される衛星信号の電波を受信して衛星時刻情報を取得し、内部時刻情報を修正できるように構成されている。
【００１５】
［電子時計］
電子時計１は、図１に示すように、文字板１１、ムーブメント（図示略）、平面アンテナ２３（図２参照）、二次電池２４（図２参照）等を収容する外装ケース１０を備える。外装ケース１０は、ステンレス鋼（ＳＵＳ）やチタン等の金属で構成され、略円筒状に形成されている。外装ケース１０の表面側の開口には、ベゼル１４を介して開口を覆う表面ガラス３１が取り付けられている。ベゼル１４には、ＳＵＳ（ステンレス鋼）、チタン合金、アルミ、ＢＳ（真鍮）などの金属材料が利用され、タイムゾーンを選択するための都市情報が設けられている。
また、電子時計１は、りゅうず６と、４つのボタン７Ａ、７Ｂ、７Ｃ、７Ｄと、外装ケース１０に接続されるバンドとを備える。バンドは、外装ケース１０の１２時側に接続される第１バンド１５と、６時側に接続される第２バンド１６と、図示略の中留とを備える。第１バンド１５、第２バンド１６は、外装ケース１０に取り付けられるチタン等の金属製のエンドピースと、複数の駒とを備えるメタルバンドである。なお、バンドとしては、メタルバンドに限らず、レザーバンドや樹脂バンドなどでもよい。
【００１６】
文字板１１は、ポリカーボネートなどの非導電性部材にて円板状に形成されている。文字板１１の中心には、文字板１１を貫通して設けられる指針軸４が配置され、この指針軸４には秒針３Ｂ、分針３Ｃ、時針３Ｄが取り付けられている。文字板１１の外周部には、ダイヤルリング３２が取り付けられており、ダイヤルリング３２の内周側には、内周を６０分割にする目盛が表記されている。この目盛を用いて、秒針３Ｂは通常時にローカルタイムである第１時刻の「秒」を表示し、分針３Ｃは第１時刻の「分」を表示し、時針３Ｄは第１時刻の「時」を表示する。すなわち、本実施形態では、指針３Ｂ〜３Ｄは本発明の第１指針の一例であり、ダイヤルリング３２および指針３Ｂ〜３Ｄは第１時刻表示部１１０を構成する。
なお、第１時刻の「秒」は、後述する第２時刻の「秒」と同じため、ユーザーは、指針３Ｂを確認することで、第２時刻の「秒」も把握できる。
【００１７】
また、文字板１１は、３つの小窓（サブダイヤル）を有する。すなわち、図１に示すように、文字板１１の中心に対して、３時方向に円形の第１小窓７７０と指針７７１が設けられ、９時方向に円形の第２小窓７８０と指針７８１が設けられ、６時方向に円形の第３小窓７９０と指針７９１、７９２が設けられている。
また、文字板１１の中心に対して、４時と５時との間の方向（４．５時方向）に矩形の日窓５１が設けられている。文字板１１の裏面側には日車５５が配置され、日車５５は日窓５１から視認可能となっている。
【００１８】
本実施形態では、第１小窓７７０の指針７７１は曜日を指示する曜日針であり、第２小窓７８０の指針７８１は各種情報を指示するモード針である。第３小窓７９０の指針７９１、７９２は、ホームタイムやローカルタイムを指示する小時計用の時針および分針である。
【００１９】
モード針である指針７８１で指示される第２小窓７８０には、二次電池２４の残量を示すパワーインジケーターと、夏時間の設定モードと、機内モードと、ＧＰＳ衛星信号の受信モードとの各モードの設定を指示する目盛が表示されている。
パワーインジケーターは、第２小窓７８０の９時位置から７時位置に渡って帯状に表示され、９時位置がＦ（Full）、７時位置がＥ（Empty）を意味する。
夏時間の設定モードを表示する記号として、６時位置に「Ａ」、略５時位置に「Ｓ」、略４時位置に「Ｄ」が表示されている。
「Ａ」は、夏時間を自動設定するAUTOモードを意味する。AUTOモードは、衛星信号から位置情報を取得した際に、電子時計１の記憶装置６０のタイムゾーンデータ記憶部６８０（図３参照）に記憶されたデータを用いて自動的に夏時間に変更するモードである。このため、電子時計１のタイムゾーンデータ記憶部６８０には、位置情報と、その位置情報に対応するタイムゾーンと、夏時間設定データとが対応付けられたデータベースが記憶されている。
「Ｓ」は、STDモード（スタンダードモード）を意味し、手動設定によって、常にスタンダードタイムを表示するモードを意味する。「Ｄ」は、DSTモードを意味し、手動設定によって、常にサマータイムを表示するモードを意味する。
機内モードを示す飛行機マークは、第２小窓７８０の１０時位置に表示され、受信モードの測時モードを示す「１」は略１１時位置に表示され、測位モードを示す「４＋」は略１２時位置に表示されている。うるう秒情報を取得する受信モードを示す「Ｌ」は略１時位置に表示されている。
【００２０】
また、第３小窓７９０の内周側には、内周を６０分割にする目盛が表記されている。この目盛を用いて、指針７９１は通常時にホームタイムである第２時刻の「時」を表示し、指針７９２は第２時刻の「分」を表示する。すなわち、本実施形態では、指針７９１、７９２は本発明の第２指針の一例であり、第３小窓７９０および指針７９１、７９２は第２時刻表示部１２０を構成する。
これらの秒針３Ｂ、分針３Ｃ、時針３Ｄ、指針７７１、７８１、７９１、７９２および日車５５は、後述する駆動機構２１０（図２参照）を介して駆動される。
【００２１】
［電子時計の概略構成］
図２に示すように、電子時計１は、ソーラーパネル２２、二次電池２４、受信装置３０（受信手段）、制御装置４０（制御手段）、計時装置５０、記憶装置６０、入力装置７０（操作手段）、充電回路８０、表示装置１００（時刻表示手段）、駆動機構２１０（駆動手段）等を備えている。
充電回路８０は、ソーラーパネル２２で発生した電力を二次電池２４に供給し、二次電池２４を充電する。
駆動機構２１０は、指針３Ｃ、３Ｄを駆動する第１ステップモーター２１１および指針７９１、７９２を駆動する第２ステップモーター２１２を備える。さらに、駆動機構２１０は、指針３Ｂ、７７１、７８１および日車５５を駆動するステップモーター（図示略）、輪列（図示略）、駆動回路（図示略）などを備えて構成されている。駆動機構２１０は、これらのステップモーターや輪列などを介して指針３Ｂ〜３Ｄ、７７１、７８１、７９１、７９２および日車５５を駆動する。なお、駆動機構２１０は、本発明の駆動手段の一例である。また、第１ステップモーター２１１および第２ステップモーター２１２は、本発明の第１駆動手段および第２駆動手段の一例である。
表示装置１００は、第１時刻表示部１１０および第２時刻表示部１２０を備える。すなわち、表示装置１００は、本発明の時刻表示手段の一例である。
【００２２】
［入力装置］
入力装置７０は、りゅうず６と、４つのボタン７Ａ、７Ｂ、７Ｃ、７Ｄとを備える。入力装置７０を操作すると、その手動操作に応じた操作モードが実行される。すなわち、りゅうず６および４つのボタン７Ａ〜７Ｄを備える入力装置７０は本発明の操作手段の一例である。
具体的には、りゅうず６が２段引かれると、ユーザーがタイムゾーンを選択可能なタイムゾーン選択モード（第２時刻表示部）が実行される。また、りゅうず６が２段引かれた状態で、ボタン７Ｄが３秒以上押されると、指針７９１、７９２の基準位置を設定するための基準位置合わせモード（第２時刻表示部）が実行される。
また、りゅうず６が０段位置の状態で、ボタン７Ｃが、３秒以上６秒未満押されると、測時モードでの受信処理が実行され、６秒以上押されると、測位モードでの受信処理が実行される。さらに、ボタン７Ｃおよびボタン７Ｄが同時に３秒以上押されると、第１時刻表示部１１０で表示する第１時刻データ６４１と、第２時刻表示部１２０で表示する第２時刻データ６４２とを入れ替えるタイムゾーン入替モードが実行される。これらの操作モードの詳細については後述する。
なお、各ボタン７Ａ〜７Ｄを押した際に実行される操作モードは、上記のものに限定されず、電子時計１の機能に応じて適宜設定すればよい。
【００２３】
［受信装置］
受信装置３０は、制御装置４０によって駆動されると、平面アンテナ２３を通じてＧＰＳ衛星から送信される衛星信号の電波を受信する。すなわち、受信装置３０は本発明の受信手段の一例である。そして、受信装置３０は、衛星信号の電波の受信に成功した場合には、取得した軌道情報やＧＰＳ時刻情報などの情報を制御装置４０へ送信する。一方、衛星信号の受信に失敗した場合には、受信装置３０は、その旨の情報を制御装置４０へ送信する。なお、受信装置３０の構成は、公知のＧＰＳ受信回路の構成と同様であるため、その説明を省略する。
【００２４】
［計時装置］
計時装置５０は、水晶振動子等を備え、水晶振動子の発振信号に基づく基準信号を用いて時刻データを更新する。
【００２５】
［記憶装置］
図３は、記憶装置６０の構成を示すブロック図である。
記憶装置６０は、ＲＡＭ（Random Access Memory）やＲＯＭ（Read Only Memory）で構成され、図３に示すように、時刻データ記憶部６００と、針位置カウンター６６０と、タイムゾーンデータ記憶部６８０と、定時受信時刻記憶部６９０とを備えている。なお、記憶装置６０は本発明の記憶手段の一例である。
【００２６】
時刻データ記憶部６００には、受信時刻データ６１０と、閏秒更新データ６２０と、内部時刻データ６３０と、時計表示用時刻データ６４０と、タイムゾーンデータ６５０とが記憶される。
【００２７】
受信時刻データ６１０には、衛星信号から取得した時刻情報（ＧＰＳ時刻）が記憶される。この受信時刻データ６１０は、通常は計時装置５０によって１秒毎に更新され、衛星信号を受信した際には、取得した時刻情報（ＧＰＳ時刻）によって修正される。
【００２８】
閏秒更新データ６２０には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ６２０に記憶している。
【００２９】
内部時刻データ６３０には、内部時刻情報が記憶される。この内部時刻情報は、受信時刻データ６１０に記憶されたＧＰＳ時刻と、閏秒更新データ６２０に記憶している「現在の閏秒」とによって更新される。すなわち、内部時刻データ６３０には、ＵＴＣ（協定世界時）が記憶されることになる。受信時刻データ６１０が前記計時装置５０で更新される際に、この内部時刻情報も更新される。
【００３０】
時計表示用時刻データ６４０には、前記内部時刻データ６３０の内部時刻情報に、タイムゾーンデータ６５０のタイムゾーンデータ（タイムゾーン情報、時差情報）を加味した時刻データが記憶される。
ここで、本実施形態では、時計表示用時刻データ６４０は、第１時刻データ６４１と、第２時刻データ６４２とを備え、タイムゾーンデータ６５０は、第１タイムゾーンデータ６５１と、第２タイムゾーンデータ６５２とを備える。
【００３１】
第１時刻データ６４１には、内部時刻データ６３０の内部時刻情報に、第１タイムゾーンデータ６５１のタイムゾーンデータ（時差情報）を加味した時刻情報が記憶される。第１タイムゾーンデータ６５１は、ユーザーが手動で選択した場合や測位モードで受信した場合に得られるタイムゾーンデータで設定される。
第２時刻データ６４２には、内部時刻データ６３０の内部時刻情報に、第２タイムゾーンデータ６５２のタイムゾーンデータを加味した時刻情報が記憶される。第２タイムゾーンデータ６５２は、ユーザーが手動で選択した場合に得られるタイムゾーンデータで設定される。
【００３２】
針位置カウンター６６０は、第１針位置カウンター６６１と、第２針位置カウンター６６２とを備える。
第１針位置カウンター６６１には、第１時刻表示部１１０で時刻を表示する指針３Ｂ〜３Ｄの位置に対応する針位置カウンターが記憶される。
また、第２針位置カウンター６６２には、第２時刻表示部１２０で時刻を表示する指針７９１、７９２の位置に対応する針位置カウンターが記憶される。
【００３３】
タイムゾーンデータ記憶部６８０は、位置情報（緯度、経度）と、その位置情報に対応するタイムゾーン情報（時差情報）と、夏時間設定データとを関連付けて記憶している。このため、測位モードで位置情報を取得した場合、制御装置４０は、その位置情報（緯度、経度）に基づいてタイムゾーンデータおよび夏時間設定データを取得できるようにされている。
【００３４】
なお、タイムゾーンデータ記憶部６８０は、さらに、タイムゾーン都市名とタイムゾーンデータとを関連付けて記憶している。したがって、ユーザーが入力装置７０の操作によって、現地時刻を知りたいタイムゾーンに対応する都市名を選択すると、制御装置４０のタイムゾーン設定部４３０は、タイムゾーンデータ記憶部６８０に対してユーザーが設定した都市名を検索し、その都市名に対応するタイムゾーンデータを取得して、第１タイムゾーンデータ６５１、または、第２タイムゾーンデータ６５２に設定する。
【００３５】
定時受信時刻記憶部６９０には、測時部４１０における定時受信処理を実行する定時受信時刻が記憶される。この定時受信時刻は、例えば、前回ボタン７Ｃを操作して強制受信に成功した時刻が記憶される。
【００３６】
［制御装置］
図２に戻って、制御装置４０は、電子時計１を制御するＣＰＵで構成されている。制御装置４０は、測時部４１０と、測位部４２０と、タイムゾーン設定部４３０と、タイムゾーン修正部４４０と、時刻修正部４５０と、表示制御部４７０と、基準位置設定部４８０と、を備える。なお、制御装置４０は本発明の制御手段の一例である。
【００３７】
［測時部］
測時部４１０は、受信装置３０を作動して測時モードでの受信処理を行う。本実施形態では、自動受信処理と手動受信処理とにおいて測時モードでの受信処理を実行する。
自動受信処理は、定時自動受信処理と、光自動受信処理の２種類がある。すなわち、測時部４１０は、計時している内部時刻データ６３０が、定時受信時刻記憶部６９０に記憶された定時受信時刻になった場合に、受信装置３０を作動して測時モードでの定時自動受信処理を行う。
また、測時部４１０は、ソーラーパネル２２の発電電圧または発電電流が設定値以上となり、屋外においてソーラーパネル２２に日光が照射していると判断できる場合に、受信装置３０を作動して測時モードでの光自動受信処理を行う。なお、定時自動受信処理または光自動受信処理のどちらかが１日に１回のみ実行されるように、自動受信処理の実行回数を制限してもよい。
さらに、ユーザーが入力装置７０のボタン７Ｃを押して（３秒以上、６秒未満）、強制受信操作を行った場合、測時モードでの受信処理が実行される。測時モードでの受信処理が実行されると、測時部４１０は、受信装置３０を作動して手動での受信処理を行う。
【００３８】
測時部４１０は、受信装置３０で少なくとも１つのＧＰＳ衛星や準天頂衛星等の位置情報衛星を捕捉し、その位置情報衛星から送信される衛星信号を受信して時刻情報を取得する。
【００３９】
［測位部］
測位部４２０は、ユーザーが入力装置７０のボタン７Ｃを押して（６秒以上）、強制受信操作を行った場合、受信装置３０を作動して測位モードでの受信処理を行う。
このように、制御装置４０は、ボタン７Ｃを押している時間に応じて、測時部４１０による測時モードと、測位部４２０による測位モードとを切り替えて実行する。
また、予め測時モード、測位モード、閏秒受信モードを選択して設定しておき、前記自動受信処理（定時自動受信処理や光自動受信処理）時には設定したモードで受信処理を行ってもよい。
【００４０】
測位部４２０は、測位モードでの受信処理を開始すると、受信装置３０で少なくとも３個、好ましくは４個以上のＧＰＳ衛星を捕捉し、各ＧＰＳ衛星から送信される衛星信号を受信して位置情報を算出して取得する。また、測位部４２０は、衛星信号を受信した際に時刻情報も同時に取得できる。
このように、本実施形態では、測時モードと測位モードとがあり、このいずれでも時刻情報を取得することができる。
【００４１】
［タイムゾーン設定部］
タイムゾーン設定部４３０は、測位部４２０で位置情報の取得に成功した場合、取得した位置情報（緯度、経度）に基づいてタイムゾーンデータを設定する。具体的には、タイムゾーンデータ記憶部６８０から位置情報に対応するタイムゾーンデータ（時差情報）を選択して取得し、第１タイムゾーンデータ６５１に記憶する。
例えば、日本標準時（ＪＳＴ）は、ＵＴＣに対して９時間進めた時刻（ＵＴＣ＋９）であるため、測位部４２０で取得した位置情報が日本である場合には、タイムゾーン設定部４３０は、タイムゾーンデータ記憶部６８０から日本標準時の時差情報（＋９時間）を読み出して第１タイムゾーンデータ６５１に記憶する。
また、タイムゾーン設定部４３０は、入力装置７０の操作により、時差情報または都市情報のいずれかが選択された場合、選択された時差情報または都市情報に対応するタイムゾーンデータを、第１タイムゾーンデータ６５１または第２タイムゾーンデータ６５２に記憶させるタイムゾーン選択モードを実行する。
【００４２】
［タイムゾーン修正部］
タイムゾーン修正部４４０は、自動修正モードとタイムゾーン選択モードとにおいて、時計表示用時刻データ６４０を修正する。
自動修正モードでは、タイムゾーン設定部４３０が取得した位置情報（緯度、経度）に基づいてタイムゾーン情報を設定すると、時計表示用時刻データ６４０を、タイムゾーンデータを用いて修正する。具体的には、タイムゾーン修正部４４０は、第１時刻データ６４１を、第１タイムゾーンデータ６５１を用いて修正する。また、第２時刻データ６４２を、第２タイムゾーンデータ６５２を用いて修正する。このため、第１時刻データ６４１および第２時刻データ６４２は、ＵＴＣである内部時刻データ６３０に各タイムゾーンデータを加算した時刻となる。
また、タイムゾーン選択モードでは、ユーザーが任意のタイムゾーンを選択し、選択されたタイムゾーンのタイムゾーンデータを用いて、タイムゾーン修正部４４０が時計表示用時刻データ６４０を修正する。すなわち、タイムゾーン設定部４３０およびタイムゾーン修正部４４０は、本発明のタイムゾーン選択部を構成する。
【００４３】
［時刻修正部］
時刻修正部４５０は、測時部４１０や測位部４２０の受信処理で時刻情報の取得に成功した場合に、取得した時刻情報で受信時刻データ６１０を修正する。これにより、内部時刻データ６３０、第１時刻データ６４１、第２時刻データ６４２が修正される。すなわち、測時部４１０、測位部４２０および時刻修正部４５０は、指針３Ｂ〜３Ｄ、７９１、７９２が指示する時刻を修正する受信モードとしての測時モードおよび測位モードを実行する本発明の受信時刻修正部を構成する。
【００４４】
［表示制御部］
表示制御部４７０は、第１時刻データ６４１の時刻情報を、第１ステップモーター２１１を制御して指針３Ｃ、３Ｄに表示させ、第２時刻データ６４２の時刻情報を、第２ステップモーター２１２を制御して指針７９１、７９２に表示させる。
また、ボタン７Ｃおよび７Ｄが同時に３秒以上押されると、表示制御部４７０はタイムゾーン入替モードになる。この場合、表示制御部４７０は、駆動機構２１０の第１ステップモーター２１１および第２ステップモーター２１２を制御して、第１時刻表示部１１０および第２時刻表示部１２０で表示する時刻を互いに入れ替えるタイムゾーン入替処理を実行する。すなわち、タイムゾーン入替モードは本発明の表示入替モードの一例である。
さらに、りゅうず６が２段引かれた状態で、ボタン７Ｄが３秒以上押されると、基準位置合わせモード（第２時刻表示部）が実行される。この場合、表示制御部４７０は、りゅうず６の操作に応じて駆動機構２１０の第２ステップモーター２１２を制御して、指針７９１、７９２を駆動させる。
【００４５】
［基準位置設定部］
基準位置設定部４８０は、第２時刻表示部１２０において、指針７９１、７９２の位置と、第２針位置カウンター６６２との同期、つまり針位置の初期化（初期位置合わせ）を行う基準位置合わせモードを実行する。
具体的には、基準位置合わせモード（第２時刻表示部）が実行されると、ユーザーは、りゅうず６を操作して、指針７９１、７９２を予め設定した基準位置、例えば、０時０分に合わせる。この際、表示制御部４７０は、駆動機構２１０の第２ステップモーター２１２を制御して、指針７９１、７９２を駆動させる。そして、指針７９１、７９２が０時０分に合わされた状態で、ボタン７Ａが３秒以上押されると、基準位置設定部４８０は指針７９１、７９２に対応する第２針位置カウンター６６２を初期化する基準位置合わせ処理を実行する。これにより、指針７９１、７９２の位置と、その指針の位置に対応する針位置カウンターとが初期化される。
また、基準位置設定部４８０は、第１時刻表示部１１０においても、指針３Ｂ〜３Ｄの位置と、第１針位置カウンター６６１との同期（初期位置合わせ）を実行する。
【００４６】
［制御装置の動作］
図４は、制御装置４０が駆動機構２１０の第１ステップモーター２１１および第２ステップモーター２１２を制御して指針３Ｃ、３Ｄ、７９１、７９２を駆動させる処理を示すフローチャートである。
図５は、制御装置４０が駆動機構２１０を制御する操作モードを示す図である。
本実施形態では、図５に示すように、制御装置４０は、駆動機構２１０を制御する操作モードとして、タイムゾーン選択モード、受信モード、基準位置合わせモード、タイムゾーン入替モードを選択可能に構成されている。
この中で、基準位置合わせモードでは、後述するように、早送り駆動において指針７９１、７９２の停止位置を手動操作で設定する必要があり、また、早送り駆動速度が低速に設定されている。これに対し、タイムゾーン選択モード、受信モード、タイムゾーン入替モードでは、後述するように、早送り駆動において指針７９１、７９２の停止位置を手動操作で設定する必要がなく、また、早送り駆動速度が高速に設定されている。
なお、操作モードとしては、上記のものに限られるわけではなく、例えば、入力装置７０を手動操作することによって指針が指示する時刻を修正する手動時刻修正モードや、予め設定された方位を示す位置を指示するように秒針３Ｂを駆動させる方位モードなどが選択可能に構成されていてもよい。また、上記の操作モードの全てが選択可能に構成されている必要はなく、例えば、基準位置合わせモードとタイムゾーン選択モードとが選択可能に構成されていてもよく、停止位置を手動操作で設定する必要がある操作モードと、停止位置を手動操作で設定する必要がない操作モードとが選択可能に構成されていればよい。
【００４７】
図４に戻って、制御装置４０は、前述したような入力装置７０の操作に応じて、駆動機構２１０を制御する操作モードを選択する（Ｓ１０）。
次に、制御装置４０は、選択された操作モードが基準位置合わせモードか否かを判定する（Ｓ２１）。
制御装置４０は、Ｓ２１でＹＥＳと判定した場合は、後述する基準位置合わせ処理Ｓ３０を実行し、Ｓ２１でＮｏと判定した場合は、選択された操作モードがタイムゾーン選択モードか否かを判定する（Ｓ２２）。
制御装置４０は、Ｓ２２でＹＥＳと判定した場合は、後述するタイムゾーン選択処理Ｓ４０を実行し、Ｓ２２でＮｏと判定した場合は、選択されたモードが受信モードか否かを判定する（Ｓ２３）。
制御装置４０は、Ｓ２３でＹＥＳと判定した場合は、後述する受信処理Ｓ５０を実行し、Ｓ２３でＮｏと判定した場合は、図５に示す４種類のモードのうち、残されたタイムゾーン入替処理Ｓ６０を実行する。
【００４８】
［基準位置合わせ処理］
図６は、基準位置合わせ処理Ｓ３０を示すフローチャートであり、図７は、基準位置合わせモードで指針７９１、７９２を早送り駆動させる様子を示す模式図である。
図６に示すように、基準位置合わせ処理Ｓ３０が実行されると、制御装置４０の基準位置設定部４８０は、りゅうず６の連続回し操作が実行されたか否かを判定する（Ｓ３１）。
Ｓ３１では、例えば、りゅうず６の回転を検出する図示略の回転検出部が、一定時間の間にりゅうず６の回転を２回検出した場合、りゅうず６の連続回し操作が実行されたと判定する。
そして、Ｓ３１でＹｅｓと判定されたら、表示制御部４７０は駆動機構２１０の第２ステップモーター２１２を制御して、指針７９１、７９２の早送り駆動を開始する（Ｓ３２）。
図７（Ａ）に示すように、本実施形態では、指針７９１、７９２は正転方向に駆動される。この際、表示制御部４７０は、第２ステップモーター２１２に連続駆動パルスを出力する。ここで、基準位置合わせモードにおける連続駆動パルスの周波数は、後述するタイムゾーン選択モード、受信モード、タイムゾーン入替モードにおける連続駆動パルスよりも低い周波数（例えば１６Ｈｚ）に設定されている。そのため、基準位置合わせモードでは、指針７９１、７９２は低速の第１速度で早送り駆動される。すなわち、基準位置合わせモードにおいて、制御装置４０が駆動機構２１０の第２ステップモーター２１２を制御する制御モードは、本発明の第１モードの一例である。
ここで、本実施形態では、指針７９２は、１ステップ（パルス）で６度（１分）駆動する。前述したように、第３小窓７９０の内周側には、内周を６０分割にする目盛が表記されているので、連続駆動パルスの周波数が１６Ｈｚに設定されている場合、指針７９２は３．７５秒で第３小窓７９０に表記された目盛を１周する。
なお、指針７９１、７９２を駆動させる方向は正転方向に限るものではなく、逆転方向に駆動させてもよい。また、指針７９１、７９２を所定の位置に移動させるのに必要なステップ数が少ない方向に駆動させるようにしてもよい。指針７９１、７９２を駆動させる方向は、後述するタイムゾーン選択モード、受信モード、タイムゾーン入替モードも同様である。
【００４９】
図６に戻って、基準位置設定部４８０は、りゅうず６が回転したか否かを判定する（Ｓ３３）。
Ｓ３３でＮｏと判定されたら、表示制御部４７０は、りゅうず６の回転が検出されるまで第２ステップモーター２１２を制御して、指針７９１、７９２を早送り駆動させる。
Ｓ３３でＹｅｓと判定されたら、表示制御部４７０は第２ステップモーター２１２を制御して、指針７９１、７９２を停止させる（Ｓ３４）。
このように、基準位置合わせモードでは、指針７９１、７９２が第１速度で早送り駆動されている間に、りゅうず６の回転が検出されたら、指針７９１、７９２の駆動を停止するように設定されている。そのため、図７（Ｂ）に示すように、指針７９１、７９２が０時０分の位置に移動するタイミングで、ユーザーはりゅうず６を回転させて、指針７９１、７９２の停止位置を手動操作で設定する必要がある。なお、指針７９１、７９２の駆動を停止させるために、ユーザーがりゅうず６を回転させる操作は、本発明の所定の操作の一例である。
【００５０】
一方、Ｓ３１でＮｏと判定されたら、基準位置設定部４８０は、りゅうず６が単回し操作を実行されたか否かを判定する（Ｓ３５）。ここで、Ｓ３５では、例えば、りゅうず６の回転を検出する図示略の回転検出部が、一定時間の間にりゅうず６の回転を１回のみ検出した場合、りゅうず６が単回し操作を実行されたと判定する。
Ｓ３５でＹｅｓと判定されたら、表示制御部４７０は、第２ステップモーター２１２を制御して、指針７９１、７９２を１ステップ駆動させる（Ｓ３６）。本実施形態では、前述したように、指針７９２は、１ステップで６度（１分）駆動する。Ｓ５２で、指針７９１、７９２が１ステップ駆動したら、表示制御部４７０は、第２ステップモーター２１２を制御して指針７９１、７９２を停止させる（Ｓ３４）。このように、本実施形態では、基準位置合わせモードにおいて、指針７９１、７９２を１ステップずつ駆動させることができる。そのため、指針７９１、７９２を早送り駆動させて０時０分に近い位置まで移動させ、その後、指針７９１、７９２を１ステップずつ駆動させて、指針７９１、７９２を０時０分の位置に合わせることができる。
Ｓ３５でＮｏと判定されたら、そのまま指針７９１、７９２を停止させた状態にする（Ｓ３４）。例えば、指針７９１、７９２が基準位置である０時０分の位置に移動している場合は、ユーザーはりゅうず６を操作せず、そのまま指針７９１、７９２を停止させた状態にする。
【００５１】
次に、基準位置設定部４８０は、ボタン７Ａが３秒以上押されたか否かを判定する（Ｓ３７）。
Ｓ３７でＹｅｓと判定された場合、基準位置設定部４８０は、第２針位置カウンター６６２を初期化し（Ｓ３８）、基準位置合わせ処理を終了する。
Ｓ３７でＮｏと判定された場合、そのまま基準位置合わせ処理を終了する。
【００５２】
図４に戻って、基準位置合わせ処理Ｓ３０が終了した後、制御装置４０は、入力装置７０で操作モードを終了する操作が実行されたか否かを判定する（Ｓ７０）。具体的には、りゅうず６が０段位置の状態に戻されたか否かを判定する。
Ｓ７０でＮｏと判定された場合、Ｓ２１に戻って、処理を繰り返す。これにより、例えば、Ｓ３２〜Ｓ３４により、指針７９１、７９２を早送り駆動させて、基準位置である０時０分に近い位置まで移動させる。そして、Ｓ２１に戻って、基準位置合わせ処理Ｓ３０を再度実行し、Ｓ３５〜Ｓ３７により、指針７９１、７９２を１ステップずつ駆動させて、指針７９１、７９２を０時０分の位置に合わせることができる。つまり、指針７９１、７９２を早送り駆動と１ステップ駆動とにより駆動させることができるので、ユーザーは指針７９１、７９２を基準位置に容易に合わせることができる。
Ｓ７０でＹｅｓと判定された場合、そのまま処理を終了する。
【００５３】
［タイムゾーン選択処理］
図８は、タイムゾーン選択処理Ｓ４０を示すフローチャートであり、図９は、タイムゾーン選択モードで指針７９１、７９２を早送り駆動させる様子を示す模式図である。
図８に示すように、タイムゾーン選択処理Ｓ４０が実行されると、タイムゾーン設定部４３０は、入力装置７０の操作により、秒針３Ｂが移動したか否かを判定する（Ｓ４１）。
Ｓ４１でＮｏと判定されたら、タイムゾーン設定部４３０は、秒針３Ｂが移動するまで待機する。
Ｓ４１でＹｅｓと判定されたら、タイムゾーン設定部４３０は、ベゼル１４に設けられた都市情報のうち、秒針３Ｂが示す都市情報に対応するタイムゾーンデータを第２タイムゾーンデータ６５２に設定するタイムゾーン選択モードを実行する（Ｓ４２）。そして、タイムゾーン修正部４４０は、第２タイムゾーンデータ６５２を用いて第２時刻データ６４２を修正する（Ｓ４３）。これにより、秒針３Ｂが移動している間において、第２時刻データ６４２は順次修正される。そのため、図９（Ａ）に示すように、秒針３Ｂが移動している間に、指針７９１、７９２の早送り駆動は開始する（Ｓ４４）。本実施形態では、最終的に秒針３Ｂが所望の位置に移動された際に、タイムゾーン修正部４４０は、第２タイムゾーンデータ６５２の設定に基づき、第２時刻データ６４２を３時０分から６時０分に修正する。
【００５４】
第２時刻データ６４２が修正されると、表示制御部４７０は、第２ステップモーター２１２に連続駆動パルスを出力する。ここで、タイムゾーン選択モードにおける連続駆動パルスの周波数は、前述した基準位置合わせモードよりも高い周波数（例えば１００Ｈｚ）に設定されている。そのため、タイムゾーン選択モードでは、指針７９１、７９２は高速の第２速度で早送り駆動される。すなわち、タイムゾーン選択モードにおいて、制御装置４０が駆動機構２１０の第２ステップモーター２１２を制御する制御モードは、本発明の第２モードの一例である。なお、前述したように、指針７９２は１ステップ（パルス）で６度（１分）駆動する。そのため、連続駆動パルスの周波数が１００Ｈｚに設定されている場合、指針７９２は０．６秒で第３小窓７９０に表記された目盛を１周する。
【００５５】
図８に戻って、表示制御部４７０は、指針７９１、７９２が所定位置、つまり、６時０分を指示する位置に移動したか否かを判定する（Ｓ４５）。具体的には、タイムゾーンが選択される前の３時０分から、選択後の６時０分に指針７９１、７９２が移動するのに必要なステップ数を表示制御部４７０が演算する。そして、表示制御部４７０は、演算されたステップ数を駆動させるための駆動パルスが出力されたか否かを判定することで、指針７９１、７９２が所定位置に移動したか否かを判定する。
Ｓ４５でＮｏと判定されたら、表示制御部４７０は、指針７９１、７９２が所定位置に移動したと判定するまで、指針７９１、７９２を早送り駆動させる。
Ｓ４５でＹｅｓと判定されたら、すなわち図９（Ｂ）に示すように、指針７９１、７９２が選択されたタイムゾーンに基づく時刻である６時０分を指示する位置に移動したら、表示制御部４７０は、第２ステップモーター２１２を制御して、指針７９１、７９２を停止させる（Ｓ４６）。
このように、指針７９１、７９２の停止位置を手動操作で設定する必要のないタイムゾーン選択モードでは、ユーザーが指針７９１、７９２の駆動速度を切り替えなくても、指針７９１、７９２は高速で駆動される。そのため、指針７９１、７９２を選択されたタイムゾーンに基づく時刻を指示する位置に短時間で移動させることができる。
【００５６】
図４に戻って、タイムゾーン選択処理Ｓ４０が終了した後、制御装置４０は、入力装置７０で操作モードを終了する操作が実行されたか否かを判定する（Ｓ７０）。
Ｓ７０でＮｏと判定された場合、Ｓ２１、Ｓ２２に戻って、処理を繰り返す。これにより、例えば、ユーザーがさらに別のタイムゾーンを選択した場合、Ｓ４１〜Ｓ４６により、選択されたタイムゾーンに基づく時刻を指示する位置に指針７９１、７９２をさらに移動させることができる。
Ｓ７０でＹｅｓと判定された場合、そのまま処理を終了する。
【００５７】
［受信処理］
図１０は、受信処理Ｓ５０を示すフローチャートであり、図１１は、受信モードで指針３Ｃ、３Ｄ、７９１、７９２を早送り駆動させる様子を示す模式図である。
図１０に示すように、受信処理Ｓ５０が実行されたら、測時部４１０は、測時モード（受信モード）を実行し、衛星信号から時刻情報が取得できたか否かを判定する（Ｓ５１）。
Ｓ５１でＮｏと判定された場合、例えば、受信装置３０で衛星信号が受信できなかった場合は、そのまま受信処理を終了する。
Ｓ５１でＹｅｓと判定された場合、時刻修正部４５０は、測時部４１０で取得した時刻情報に基づいて、時計表示用時刻データ６４０の第１時刻データ６４１および第２時刻データ６４２を修正する（Ｓ５２）。本実施形態では、第１時刻データ６４１は、３時０分から７時０分に修正され、第２時刻データ６４２は、９時０分から１３時０分に修正される。
なお、Ｓ５１では、測時部４１０が衛星信号から時刻情報を取得（測時モード）する場合に限らず、測位部４２０が衛星信号から時刻情報を取得（測位モード）してもよい。
【００５８】
次に、修正された第１時刻データ６４１に基づいて、表示制御部４７０は、駆動機構２１０の第１ステップモーター２１１を制御して、第１時刻表示部１１０の指針３Ｃ、３Ｄの早送り駆動を開始する（Ｓ５３）。この際、第１ステップモーター２１１は、指針３Ｃ、３Ｄを高速で早送り駆動させる。
そして、表示制御部４７０は、指針３Ｃ、３Ｄが所定位置に移動したか否か判定する（Ｓ５４）。本実施形態では、図１１（Ａ）、（Ｂ）に示すように、指針３Ｃ、３Ｄが、３時０分を指示する位置から７時０分を指示する位置に移動したか否かを判定する。
図１０に戻って、Ｓ５４でＮｏと判定されたら、表示制御部４７０は、指針３Ｃ、３Ｄが所定位置に移動したと判定するまで、指針７９１、７９２を早送り駆動させる。
Ｓ５４でＹｅｓと判定されたら、すなわち図１１（Ｂ）に示すように、指針３Ｃ、３Ｄが７時０分を指示する位置に移動したら、表示制御部４７０は、第１ステップモーター２１１を制御して、指針３Ｃ、３Ｄを停止させる（Ｓ５５）。
【００５９】
次に、修正された第２時刻データ６４２に基づいて、表示制御部４７０は、駆動機構２１０の第２ステップモーター２１２を制御して、第２時刻表示部１２０の指針７９１、７９２の早送り駆動を開始する（Ｓ５６）。この際、表示制御部４７０は、第２ステップモーター２１２に連続駆動パルスを出力する。ここで、受信モードにおける連続駆動パルスの周波数は、タイムゾーン選択モードと同様に、高い周波数（例えば１００Ｈｚ）に設定されている。そのため、受信モードでは、指針７９１、７９２は高速の第２速度で早送り駆動される。すなわち、受信モードにおいて、制御装置４０が駆動機構２１０の第２ステップモーター２１２を制御する制御モードは、本発明の第２モードの一例である。
【００６０】
そして、表示制御部４７０は、指針７９１、７９２が所定位置に移動したか否か判定する（Ｓ５７）。本実施形態では、図１１（Ｂ）、（Ｃ）に示すように、指針７９１、７９２が、受信した時刻情報に基づく時刻である１３時０分を指示する位置に移動したか否かを判定する。具体的には、表示制御部４７０は、修正前の９時０分から、修正後の１３時０分に指針７９１、７９２が移動するのに必要なステップ数を演算する。そして、演算されたステップ数を駆動させるための駆動パルスが出力されたか否かを判定することで、指針７９１、７９２が所定位置に移動したか否かを判定する。
図１０に戻って、Ｓ５７でＮｏと判定されたら、表示制御部４７０は、指針７９１、７９２が所定位置に移動したと判定するまで、指針７９１、７９２を早送り駆動させる。
Ｓ５７でＹｅｓと判定されたら、すなわち図１１（Ｃ）に示すように、指針７９１、７９２が１３時０分を指示する位置に移動したら、表示制御部４７０は、第２ステップモーター２１２を制御して、指針７９１、７９２を停止させる（Ｓ５８）。
図４に戻って、受信処理Ｓ５０が終了したら、そのまま処理は終了する。
このように、指針７９１、７９２の停止位置を手動操作で設定する必要のない受信モードでは、前述したタイムゾーン選択モードと同様に、指針７９１、７９２を受信した時刻情報に基づく時刻を指示する位置に短時間で移動させることができる。
【００６１】
［タイムゾーン入替処理］
図１２は、タイムゾーン入替処理Ｓ６０を示すフローチャートであり、図１３は、タイムゾーン入替モードで指針３Ｃ、３Ｄ、７９１、７９２を早送り駆動させる様子を示す模式図である。
図１２に示すように、タイムゾーン入替処理Ｓ６０が実行されたら、表示制御部４７０はタイムゾーン入替モードを実行する。そうすると、タイムゾーン設定部４３０は、第１タイムゾーンデータ６５１および第２タイムゾーンデータ６５２に記憶されたタイムゾーンデータ（タイムゾーン情報、時差情報）を入れ替える（Ｓ６１）。
次に、タイムゾーンデータが入れ替えられた第１タイムゾーンデータ６５１および第２タイムゾーンデータ６５２に基づいて、時刻修正部４５０は第１時刻データ６４１および第２時刻データ６４２を修正する（Ｓ６２）。本実施形態では、第１時刻データ６４１は、３時０分から９時０分に修正され、第２時刻データ６４２は、９時０分から３時０分に修正される。
【００６２】
次に、修正された第１時刻データ６４１に基づいて、表示制御部４７０は、駆動機構２１０の第１ステップモーター２１１を制御して、第１時刻表示部１１０の指針３Ｃ、３Ｄの早送り駆動を開始する（Ｓ６３）。この際、第１ステップモーター２１１は、指針３Ｃ、３Ｄを高速で早送り駆動させる。
そして、表示制御部４７０は、指針３Ｃ、３Ｄが所定位置に移動したか否か判定する（Ｓ６４）。本実施形態では、図１３（Ａ）、（Ｂ）に示すように、指針３Ｃ、３Ｄが、３時０分を指示する位置から９時０分を指示する位置に移動したか否かを判定する。
図１２に戻って、Ｓ６４でＮｏと判定されたら、表示制御部４７０は、指針３Ｃ、３Ｄが所定位置に移動したと判定するまで、指針７９１、７９２を早送り駆動させる。
Ｓ６４でＹｅｓと判定されたら、すなわち図１３（Ｂ）に示すように、指針３Ｃ、３Ｄが９時０分を指示する位置に移動したら、表示制御部４７０は、第１ステップモーター２１１を制御して、指針３Ｃ、３Ｄを停止させる（Ｓ６５）。
【００６３】
次に、修正された第２時刻データ６４２に基づいて、表示制御部４７０は、第２ステップモーター２１２を制御して、第２時刻表示部１２０の指針７９１、７９２の早送り駆動を開始する（Ｓ６６）。この際、表示制御部４７０は、第２ステップモーター２１２に連続駆動パルスを出力する。ここで、タイムゾーン入替モードにおける連続駆動パルスの周波数は、前述したタイムゾーン選択モードおよび受信モードと同様に、高い周波数（例えば１００Ｈｚ）に設定されている。そのため、タイムゾーン入替モードでは、指針７９１、７９２は高速の第２速度で早送り駆動される。すなわち、タイムゾーン入替モードにおいて、制御装置４０が駆動機構２１０の第２ステップモーター２１２を制御する制御モードは、本発明の第２モードの一例である。
【００６４】
そして、表示制御部４７０は、指針７９１、７９２が所定位置に移動したか否か判定する（Ｓ６７）。本実施形態では、図１３（Ｂ）、（Ｃ）に示すように、指針７９１、７９２が、９時０分を指示する位置から３時０分を指示する位置に移動したか否かを判定する。具体的には、表示制御部４７０は、修正前の９時０分から、修正後の３時０分に指針７９１、７９２が移動するのに必要なステップ数を演算する。そして、演算されたステップ数を駆動させるための駆動パルスが出力されたか否かを判定することで、指針７９１、７９２が所定位置に移動したか否かを判定する。
図１２に戻って、Ｓ６７でＮｏと判定されたら、表示制御部４７０は、指針７９１、７９２が所定位置に移動したと判定するまで、指針７９１、７９２を早送り駆動させる。
Ｓ６７でＹｅｓと判定されたら、すなわち図１３（Ｃ）に示すように、指針７９１、７９２が３時０分を指示する位置に移動したら、表示制御部４７０は、第２ステップモーター２１２を制御して、指針７９１、７９２を停止させる（Ｓ６８）。
図４に戻って、タイムゾーン入替処理Ｓ６０が終了したら、そのまま処理は終了する。
このように、指針７９１、７９２の停止位置を手動操作で設定する必要のないタイムゾーン入替モードでは、前述したタイムゾーン選択モード、受信モードと同様に、指針７９１、７９２の位置を短時間で修正することができる。
【００６５】
［本実施形態の作用効果］
このような本実施形態によれば、以下のような作用効果が得られる。
本実施形態では、基準位置合わせモードにおいて、表示制御部４７０は駆動機構２１０の第２ステップモーター２１２を制御して指針７９１、７９２を低速の第１速度で駆動させる。そのため、ユーザーは、指針７９１、７９２を基準位置に合わせるために、指針７９１、７９２の駆動速度を低速に切り替える必要がない。したがって、ユーザーの操作性を向上できる。
【００６６】
本実施形態では、基準位置合わせモードにおいて、指針７９１、７９２を１ステップずつ駆動させることができる。そのため、指針７９１、７９２を早送り駆動させて基準位置である０時０分に近い位置まで移動させ、その後、指針７９１、７９２を１ステップずつ駆動させて、指針７９１、７９２を０時０分の位置に合わせることができる。したがって、ユーザーは指針７９１、７９２を基準位置に容易に合わせることができる。
【００６７】
本実施形態では、タイムゾーン選択モード、受信モードおよびタイムゾーン入替モードにおいて、表示制御部４７０は駆動機構２１０の第２ステップモーター２１２を制御して指針７９１、７９２を高速の第２速度で駆動させる。そのため、ユーザーは、指針７９１、７９２の位置を短時間で修正するために、指針７９１、７９２の駆動速度を高速に切り替える必要がない。
【００６８】
［他の実施形態］
なお、本発明は前述の各実施形態に限定されるものではなく、本発明の目的を達成できる範囲での変形、改良等は本発明に含まれるものである。
【００６９】
上記実施形態では、指針７９１、７９２を駆動する第２ステップモーター２１２が第１モードまたは第２モードで制御される場合を例示して説明したが、指針３Ｃ、３Ｄを駆動する第１ステップモーター２１１や指針３Ｂ、７７１、７８１および日車５５を駆動する図示略のステップモーターが第１モードまたは第２モードで制御されるようにしてもよい。すなわち、指針３Ｂ〜３Ｄ、７７１、７８１を早送り駆動させる際に、ユーザーが入力装置７０を操作してこれらの指針の停止位置を手動操作で設定する必要がある場合は、これらの指針を低速の第１速度で早送り駆動する。そして、制御装置４０がこれらの指針を駆動させる量を演算して決定する場合、すなわち、これらの指針の停止位置をユーザーが設定する必要がない場合は、これらの指針を高速の第２速度で早送り駆動するようにしてもよい。
【００７０】
上記実施形態では、一定時間の間にりゅうず６の回転を２回検出した場合、りゅうず６が連続回しされたと判定したが、これに限られず、例えば、一定時間の間にりゅうず６の回転を３回検出した場合、りゅうず６が連続回しされたと判定してもよい。
【００７１】
上記実施形態では、受信モードおよびタイムゾーン入替モードにおいて、指針３Ｃ、３Ｄを駆動した後に、指針７９１、７９２を駆動する場合を例示して説明したが、これに限られない。例えば、指針７９１、７９２を先に駆動してもよいし、あるいは、指針３Ｃ、３Ｄと指針７９１、７９２とを同時に駆動してもよい。
【００７２】
上記実施形態では、位置情報衛星の例としてＧＰＳ衛星や準天頂衛星について説明したが、本発明の位置情報衛星としては、ＧＰＳ衛星だけでなく、ガリレオ（ＥＵ）、ＧＬＯＮＡＳＳ（ロシア）、北斗（中国）などの他の全地球的航法衛星システム（ＧＮＳＳ）や、ＳＢＡＳ等の静止衛星や準天頂衛星等の時刻情報を含む衛星信号を送信する位置情報衛星でもよい。
また、このような位置情報衛星からの衛星信号の電波受信に限られず、例えば９００ＭＨｚ帯を用いる円偏波の電波を受信してもよいし、直線偏波の電波を受信してもよい。
さらには、電波を受信しない電子時計、すなわち受信モードが実行されない電子時計も本発明に含まれるものである。
【００７３】
また、電子時計は、腕時計に限定されず、例えば、携帯電話、登山などに用いられる携帯型のＧＰＳ受信機など、消費電力の大きなデバイスを有し、携帯して利用される時計機構を有する装置に広く利用できる。
【符号の説明】
【００７４】
１…電子時計、６…りゅうず、３Ｂ…秒針、３Ｃ…分針、３Ｄ…時針、７Ａ，７Ｂ，７Ｃ，７Ｄ…ボタン、３０…受信装置（受信手段）、４０…制御装置（制御手段）、６０…記憶装置（記憶手段）、７０…入力装置（操作手段）、１００…表示装置（時刻表示手段）、１１０…第１時刻表示部、１２０…第２時刻表示部、２１０…駆動機構（駆動手段）、２１１…第１ステップモーター（第１駆動手段）、２１２…第２ステップモーター（第２駆動手段）、４１０…測時部、４２０…測位部、４３０…タイムゾーン設定部、４４０…タイムゾーン修正部、４５０…時刻修正部、４７０…表示制御部、６４０…時計表示用時刻データ、６４１…第１時刻データ、６４２…第２時刻データ、６５０…タイムゾーンデータ、６５１…第１タイムゾーンデータ、６５２…第２タイムゾーンデータ、６６０…針位置カウンター、６６１…第１針位置カウンター、６６２…第２針位置カウンター、７９１…指針、７９２…指針。
【図１】
2019191038.tif 000003
【図２】
2019191038.tif 000004
【図３】
2019191038.tif 000005
【図４】
2019191038.tif 000006
【図５】
2019191038.tif 000007
【図６】
2019191038.tif 000008
【図７】
2019191038.tif 000009
【図８】
2019191038.tif 000010
【図９】
2019191038.tif 000011
【図１０】
2019191038.tif 000012
【図１１】
2019191038.tif 000013
【図１２】
2019191038.tif 000014
【図１３】
2019191038.tif 000015